(57)【要約】【課題】部品点数が増大することなく、圧接コネクタと相手側コネクタとの嵌合不良を防止する。【解決手段】圧接コネクタ２は、第１ハウジング３０及び第２ハウジング１０と、第１ハウジング３０及び第２ハウジング１０に挿入されていて電線６０が圧接されている又は電線６０を圧接可能な複数のコンタクト２９，４９と、第２ハウジング１０に形成されており第１ハウジング３０と第２ハウジング１０とが係合した状態において第１ハウジング３０が第２ハウジング１０から離間するのを防止する離間防止部２２と、第１ハウジング３０及び第２ハウジング１０のそれぞれに形成されており相手側コネクタに嵌合した状態の圧接コネクタ２における第１ハウジング３０及び第２ハウジング１０の一方が他方に対して抜去方向に抜去されるのを防止する抜け防止部２３，３８ａと、を備えている。【選択図】図８
2017069091.tif 000002
【特許請求の範囲】
【請求項１】
相手側コネクタに対して挿入する方向である挿入方向に挿入可能、且つ前記相手側コネクタから抜去する方向である抜去方向に抜去可能に構成された圧接コネクタであって、
互いに係合されており又は互いに係合可能な第１ハウジング及び第２ハウジングと、
前記第１ハウジング及び前記第２ハウジングに挿入されていて、電線が圧接されている又は電線を圧接可能な複数のコンタクトと、
前記第１ハウジング及び前記第２ハウジングの少なくとも一方に形成されており、前記相手側コネクタに形成された被係合部と係合可能なロック部と、
前記第２ハウジングに形成されており、前記第１ハウジングと前記第２ハウジングとが係合した状態において、前記第１ハウジングが前記第２ハウジングから離間するのを防止する離間防止部と、
前記第１ハウジング及び前記第２ハウジングのそれぞれに形成されており、前記相手側コネクタに嵌合した状態の前記圧接コネクタにおける前記第１ハウジング及び前記第２ハウジングの一方が他方に対して前記抜去方向に抜去されるのを防止する抜け防止部と、
を備えていることを特徴とする、圧接コネクタ。
【請求項２】
請求項１に記載の圧接コネクタにおいて、
前記第１ハウジングには、前記抜去方向に交差する面に沿って広がる第１面部が形成されており、
前記第２ハウジングには、前記第１ハウジングと前記第２ハウジングとが係合した状態において、前記第１面部よりも前記抜去方向側に設けられて該第１面部に対向した状態で当接する前記抜け防止部としての第２面部が形成されており、
前記第２ハウジングには、前記抜去方向に交差する面に沿って広がる第３面部が形成されており、
前記第１ハウジングには、前記第１ハウジングと前記第２ハウジングとが係合した状態において、前記第３面部よりも前記抜去方向側に設けられて該第３面部に対向した状態で当接する前記抜け防止部としての第４面部が形成されていることを特徴とする、圧接コネクタ。
【請求項３】
請求項２に記載の圧接コネクタにおいて、
前記第１ハウジングには、前記第１ハウジングと前記第２ハウジングとが係合した状態において、前記第１ハウジングにおける前記第２ハウジングとの対向面である第１対向面から前記第２ハウジング側へ延びる第１延出部と、該第１延出部から屈曲して前記抜去方向側へ延びており、前記第１面部としての先端面が前記第２面部に当接している第２延出部と、が形成されており、
前記第２ハウジングには、前記第１ハウジングと前記第２ハウジングとが係合した状態において、前記第１対向面と前記第２延出部との間に設けられ前記第２延出部に当接する前記離間防止部としての第１壁部が形成されていることを特徴とする、圧接コネクタ。
【請求項４】
請求項２又は請求項３に記載の圧接コネクタにおいて、
前記第２ハウジングには、前記第１ハウジングと前記第２ハウジングとが係合した状態において、前記第２ハウジングにおける前記第１ハウジングとの対向面である第２対向面から前記第１ハウジング側へ突出する凸部が形成されており、
前記第１ハウジングには、前記第１ハウジングと前記第２ハウジングとが係合した状態において、前記凸部が嵌まり込む凹状に形成されており、前記凸部における前記抜去方向側の部分である前記第３面部が当接する前記第４面部を有する凹部が形成されていることを特徴とする、圧接コネクタ。
【請求項５】
請求項４に記載の圧接コネクタにおいて、
前記凸部は、前記第２ハウジングにおける前記挿入方向側の端部に形成されており、
前記第２ハウジングには、前記第１ハウジングと前記第２ハウジングとが係合した状態において、前記第２ハウジングにおける前記凸部よりも前記抜去方向側の部分に設けられ前記第２対向面から前記第１ハウジング側へ延びる第３延出部と、該第３延出部から屈曲して前記挿入方向側へ延びる第４延出部と、が形成されており、
前記第１ハウジングには、前記第１ハウジングと前記第２ハウジングとが係合した状態において、前記第２対向面と前記第４延出部との間に設けられた第２壁部が形成されていることを特徴とする、圧接コネクタ。
【請求項６】
請求項２に記載の圧接コネクタにおいて、
前記第１ハウジングには、前記第１ハウジングと前記第２ハウジングとが係合した状態において、前記第１ハウジングにおける前記第２ハウジングとの対向面である第１対向面から前記第２ハウジング側へ延びる第１延出部と、該第１延出部から屈曲して前記挿入方向側へ延びており、前記第４面部としての先端面が前記第３面部に当接している第２延出部と、が形成されており、
前記第２ハウジングには、前記第１ハウジングと前記第２ハウジングとが係合した状態において、前記第１対向面と前記第２延出部との間に設けられ前記第２延出部に当接する前記離間防止部としての第１壁部が形成されていることを特徴とする、圧接コネクタ。
【請求項７】
請求項２又は請求項６に記載の圧接コネクタにおいて、
前記第１ハウジングには、前記第１ハウジングと前記第２ハウジングとが係合した状態において、前記第１ハウジングにおける前記第２ハウジングとの対向面である第１対向面から前記第２ハウジング側へ突出する凸部が形成されており、
前記第２ハウジングには、前記第１ハウジングと前記第２ハウジングとが係合した状態において、前記凸部が嵌まり込む凹状に形成されており、前記凸部における前記抜去方向側の部分である前記第１面部が当接する前記第２面部を有する凹部が形成されていることを特徴とする、圧接コネクタ。
【請求項８】
請求項７に記載の圧接コネクタにおいて、
前記凸部は、前記第１ハウジングにおける前記挿入方向側の端部に形成されており、
前記第１ハウジングには、前記第１ハウジングと前記第２ハウジングとが係合した状態において、前記第１ハウジングにおける前記凸部よりも前記抜去方向側の部分に設けられ前記第１対向面から前記第２ハウジング側へ延びる第３延出部と、該第３延出部から屈曲して前記挿入方向側へ延びる第４延出部と、が形成されており、
前記第２ハウジングには、前記第１ハウジングと前記第２ハウジングとが係合した状態において、前記第１対向面と前記第４延出部との間に設けられた第２壁部が形成されていることを特徴とする、圧接コネクタ。
【発明の詳細な説明】
【技術分野】
【０００１】
本発明は、互いに係合された又は互いに係合可能な複数のハウジングを有する圧接コネクタに関する。
【背景技術】
【０００２】
従来より、例えば特許文献１に開示されるように、２つの圧接コネクタを互いに対して固定することにより形成された合体コネクタ（圧接コネクタ）が知られている。特許文献１に開示される２段圧接コネクタでは、各段のコネクタハウジング（ハウジング）に電線が圧接された後、一方のハウジングに形成されたカバーが後端側へ反転させられ、当該カバーに形成された係合凸部が他方のハウジングの係合凹部へ係合させられる。これにより、２つのハウジングを互いに係合することができる。
【０００３】
一方、複数の圧接コネクタを、他の部材（コネクタホルダー等）を用いて連結することも、一般的に知られている。
【先行技術文献】
【特許文献】
【０００４】
【特許文献１】特開２００１−０５２８０１号公報
【発明の概要】
【発明が解決しようとする課題】
【０００５】
ところで、上記特許文献１に開示される２段圧接コネクタでは、当該２段圧接コネクタが相手側のコネクタに嵌合した状態において、圧接コネクタ（１１）に抜去方向への力が作用した場合、当該圧接コネクタ（１１）が抜けてしまい、嵌合不良が発生する虞が生じる。
【０００６】
また、複数の圧接コネクタを他の部材を用いて連結した場合、部品点数が増大してしまう。
【０００７】
本発明は、上記課題を解決するためのものであり、その目的は、部品点数が増大することなく、圧接コネクタと相手側コネクタとの嵌合不良を防止することである。
【課題を解決するための手段】
【０００８】
（１）上記課題を解決するために、この発明のある局面に係る圧接コネクタは、相手側コネクタに対して挿入する方向である挿入方向に挿入可能、且つ前記相手側コネクタから抜去する方向である抜去方向に抜去可能に構成された圧接コネクタであって、互いに係合されており又は互いに係合可能な第１ハウジング及び第２ハウジングと、前記第１ハウジング及び前記第２ハウジングに挿入されていて、電線が圧接されている又は電線を圧接可能な複数のコンタクトと、前記第１ハウジング及び前記第２ハウジングの少なくとも一方に形成されており、前記相手側コネクタに形成された被係合部と係合可能なロック部と、前記第２ハウジングに形成されており、前記第１ハウジングと前記第２ハウジングとが係合した状態において、前記第１ハウジングが前記第２ハウジングから離間するのを防止する離間防止部と、前記第１ハウジング及び前記第２ハウジングのそれぞれに形成されており、前記相手側コネクタに嵌合した状態の前記圧接コネクタにおける前記第１ハウジング及び前記第２ハウジングの一方が他方に対して前記抜去方向に抜去されるのを防止する抜け防止部と、を備えている。
【０００９】
この構成では、電線が圧接されている複数のコンタクトが挿入された各ハウジングが互いに係合している。或いは、この構成では、電線を圧接可能な複数のコンタクトが挿入された各ハウジングが互いに係合可能に構成されている。このような構成の圧接コネクタのロック部を、相手側コネクタの被係合部と係合させ、２つのコネクタ（圧接コネクタ及び相手側コネクタ）を嵌合することにより、各コネクタと電気的に接続された機器同士を電気的に接続することができる。
【００１０】
また、この構成では、各ハウジングが互いに嵌合した状態において、第１ハウジングに、第２ハウジングから離間する方向への力が作用しても、離間防止部によって、第２ハウジングに対する第１ハウジングの離間が防止される。これにより、各ハウジングが相手側のハウジングから離間してしまうことが防止される。
【００１１】
また、この構成では、圧接コネクタが相手側コネクタに嵌合した状態において、一方のハウジングに抜去方向への力が作用しても、他方のハウジングに形成された抜け防止部によって一方のハウジングが抜けてしまうことを防止できる。すなわち、各ハウジングが互いに嵌合した状態において、いずれのハウジングに抜去方向への力が作用したとしても、他方のハウジングから抜けてしまうことを防止できる。
【００１２】
従って、この構成によると、部品点数が増大することなく、圧接コネクタと相手側コネクタとの嵌合不良を防止できる。
【００１３】
（２）好ましくは、前記第１ハウジングには、前記抜去方向に交差する面に沿って広がる第１面部が形成されており、前記第２ハウジングには、前記第１ハウジングと前記第２ハウジングとが係合した状態において、前記第１面部よりも前記抜去方向側に設けられて該第１面部に対向した状態で当接する前記抜け防止部としての第２面部が形成されており、前記第２ハウジングには、前記抜去方向に交差する面に沿って広がる第３面部が形成されており、前記第１ハウジングには、前記第１ハウジングと前記第２ハウジングとが係合した状態において、前記第３面部よりも前記抜去方向側に設けられて該第３面部に対向した状態で当接する前記抜け防止部としての第４面部が形成されている。
【００１４】
この構成によれば、面状の部分として形成された比較的簡易な構成を有する第２面部及び第４面部によって、抜け防止部を形成することができる。また、この構成によれば、抜け防止部としての第２面部を第１面部よりも抜去方向側に設け、且つ抜け防止部としての第４面部を第３面部よりも抜去方向側に設けることで、各ハウジングが意に反して抜けてしまうことを適切に防止できる。
【００１５】
（３）更に好ましくは、前記第１ハウジングには、前記第１ハウジングと前記第２ハウジングとが係合した状態において、前記第１ハウジングにおける前記第２ハウジングとの対向面である第１対向面から前記第２ハウジング側へ延びる第１延出部と、該第１延出部から屈曲して前記抜去方向側へ延びており、前記第１面部としての先端面が前記第２面部に当接している第２延出部と、が形成されており、前記第２ハウジングには、前記第１ハウジングと前記第２ハウジングとが係合した状態において、前記第１対向面と前記第２延出部との間に設けられ前記第２延出部に当接する前記離間防止部としての第１壁部が形成されている。
【００１６】
この構成では、第２面部によって抜けが防止される部分である第１面部と、離間防止部としての第１壁部によって離間が防止される部分（第２延出部における第１壁部と当接する部分）とを、第２延出部によって構成することができる。すなわち、この構成によれば、第１面部と離間防止部によって離間が防止される部分とを別々の場所に形成する必要がなくなるため、圧接コネクタの形状を簡素化できる。
【００１７】
（４）好ましくは、前記第２ハウジングには、前記第１ハウジングと前記第２ハウジングとが係合した状態において、前記第２ハウジングにおける前記第１ハウジングとの対向面である第２対向面から前記第１ハウジング側へ突出する凸部が形成されており、前記第１ハウジングには、前記第１ハウジングと前記第２ハウジングとが係合した状態において、前記凸部が嵌まり込む凹状に形成されており、前記凸部における前記抜去方向側の部分である前記第３面部が当接する前記第４面部を有する凹部が形成されている。
【００１８】
この構成では、比較的簡易な構成を有する凸部及び凹部によって、第３面部及び第４面部を形成することができる。
【００１９】
（５）更に好ましくは、前記凸部は、前記第２ハウジングにおける前記挿入方向側の端部に形成されており、前記第２ハウジングには、前記第１ハウジングと前記第２ハウジングとが係合した状態において、前記第２ハウジングにおける前記凸部よりも前記抜去方向側の部分に設けられ前記第２対向面から前記第１ハウジング側へ延びる第３延出部と、該第３延出部から屈曲して前記挿入方向側へ延びる第４延出部と、が形成されており、前記第１ハウジングには、前記第１ハウジングと前記第２ハウジングとが係合した状態において、前記第２対向面と前記第４延出部との間に設けられた第２壁部が形成されている。
【００２０】
この構成によれば、第１ハウジングと第２ハウジングとを互いに係合させる際、第２壁部、第３延出部、及び第４延出部が以下のように動作することにより、凸部を凹部へスムーズに嵌め込むことができる。
【００２１】
具体的には、組立作業者は、第１ハウジングの第１対向面と第２ハウジングの第２対向面とが対向するように各ハウジングを把持し、第２ハウジングにおける凸部が形成されている側の部分（挿入方向側の部分）を第１ハウジングに対してやや持ち上げた状態で、第２ハウジングを挿入方向側へスライドさせる。そうすると、第２壁部の先端部分が第４延出部における第２ハウジング側の部分を押圧するため、第４延出部が第１ハウジング側へ撓む。そうすると、その状態において、第３延出部及び第４延出部よりも挿入方向側に設けられた凸部には、第１ハウジング側への力が作用する。
【００２２】
そして、組立作業者が、第２ハウジングの凸部が第１ハウジングの凹部に到達するまで第２ハウジングを挿入方向側へスライドさせる。そうすると、上述のように第２ハウジングの凸部には第１ハウジング側への力が作用しているため、凸部が凹部へ到達すると、当該凸部がスムーズに凹部へ嵌まり込む。よって、この構成によれば、凸部を凹部へスムーズに嵌め込むことができるため、組立性に優れた圧接コネクタを提供できる。
【００２３】
（６）好ましくは、前記第１ハウジングには、前記第１ハウジングと前記第２ハウジングとが係合した状態において、前記第１ハウジングにおける前記第２ハウジングとの対向面である第１対向面から前記第２ハウジング側へ延びる第１延出部と、該第１延出部から屈曲して前記挿入方向側へ延びており、前記第４面部としての先端面が前記第３面部に当接している第２延出部と、が形成されており、前記第２ハウジングには、前記第１ハウジングと前記第２ハウジングとが係合した状態において、前記第１対向面と前記第２延出部との間に設けられ前記第２延出部に当接する前記離間防止部としての第１壁部が形成されている。
【００２４】
この構成では、抜け防止部としての第４面部と、離間防止部によって離間が防止される部分（第２延出部における第１壁部と当接する部分）とを、第２延出部によって構成することができる。すなわち、この構成によれば、第４面部と第１壁部によって離間が防止される部分とを別々の場所に形成する必要がなくなるため、圧接コネクタの形状を簡素化できる。
【００２５】
（７）好ましくは、前記第１ハウジングには、前記第１ハウジングと前記第２ハウジングとが係合した状態において、前記第１ハウジングにおける前記第２ハウジングとの対向面である第１対向面から前記第２ハウジング側へ突出する凸部が形成されており、前記第２ハウジングには、前記第１ハウジングと前記第２ハウジングとが係合した状態において、前記凸部が嵌まり込む凹状に形成されており、前記凸部における前記抜去方向側の部分である前記第１面部が当接する前記第２面部を有する凹部が形成されている。
【００２６】
この構成では、比較的簡易な構成を有する凸部及び凹部によって、第１面部及び第２面部を形成することができる。
【００２７】
（８）更に好ましくは、前記凸部は、前記第１ハウジングにおける前記挿入方向側の端部に形成されており、前記第１ハウジングには、前記第１ハウジングと前記第２ハウジングとが係合した状態において、前記第１ハウジングにおける前記凸部よりも前記抜去方向側の部分に設けられ前記第１対向面から前記第２ハウジング側へ延びる第３延出部と、該第３延出部から屈曲して前記挿入方向側へ延びる第４延出部と、が形成されており、前記第２ハウジングには、前記第１ハウジングと前記第２ハウジングとが係合した状態において、前記第１対向面と前記第４延出部との間に設けられた第２壁部が形成されている。
【００２８】
この構成によれば、第１ハウジングと第２ハウジングとを互いに係合させる際、第２壁部、第３延出部、及び第４延出部が以下のように動作することにより、凸部を凹部へスムーズに嵌め込むことができる。
【００２９】
具体的には、組立作業者は、第１ハウジングの第１対向面と第２ハウジングの第２対向面とが対向するように各ハウジングを把持し、第１ハウジングにおける凸部が形成されている側の部分（挿入方向側の部分）を第２ハウジングに対してやや持ち上げた状態で、第１ハウジングを挿入方向側へスライドさせる。そうすると、第２壁部の先端部分が第４延出部における第１ハウジング側の部分を押圧するため、第４延出部が第２ハウジング側へ撓む。そうすると、その状態において、第３延出部及び第４延出部よりも挿入方向側に設けられた凸部には、第２ハウジング側への力が作用する。
【００３０】
そして、組立作業者が、第１ハウジングの凸部が第２ハウジングの凹部に到達するまで第１ハウジングを挿入方向側へスライドさせる。そうすると、上述のように第１ハウジングの凸部には第２ハウジング側への力が作用しているため、凸部が凹部へ到達すると、当該凸部がスムーズに凹部へ嵌まり込む。よって、この構成によれば、凸部を凹部へスムーズに嵌め込むことができるため、組立性に優れた圧接コネクタを提供できる。
【発明の効果】
【００３１】
本発明によれば、部品点数が増大することなく、圧接コネクタと相手側コネクタとの嵌合不良を防止できる。
【図面の簡単な説明】
【００３２】
【図１】本発明の一実施形態に係る圧接コネクタを含む電気的接続装置の斜視図である。
【図２】図１に示す電気的接続装置を上側から視た図である。
【図３】図１に示す電気的接続装置を奥側から視た図である。
【図４】図１に示す電気的接続装置を左側から視た図である。
【図５】図２のV-V線における断面図である。
【図６】図１に示す圧接コネクタの斜視図である。
【図７】図６に示す圧接コネクタを上方から視た図である。
【図８】図６のVIII-VIII線における断面図であって、上側ハウジングと下側ハウジングとの嵌合が完了した状態を示す図である。
【図９】図６に示す上側ハウジングを、該上側ハウジング内に収容されたメス型コンタクトに圧接された複数の電線とともに示す図であって、上側ハウジング及び複数の電線を上方から視た斜視図である。
【図１０】図９に示す上側ハウジング及び複数の電線を下方から視た斜視図である。
【図１１】図６に示す下側ハウジングを、該下側ハウジング内に収容されたメス型コンタクトに圧接された複数の電線とともに示す図であって、下側ハウジング及び複数の電線を上方から視た斜視図である。
【図１２】図１１に示す下側ハウジング及び複数の電線を下方から視た斜視図である。
【図１３】上側ハウジングと下側ハウジングとを互いに嵌合させる際の様子を示す縦断面図であって、第２フックの先端部分を鉤穴部に引っかけた状態を示す図である。
【図１４】上側ハウジングと下側ハウジングとを互いに嵌合させる際の様子を示す縦断面図であって、第１フックを第３穴部に挿入した状態を示す図である。
【図１５】上側ハウジングと下側ハウジングとを互いに嵌合させる際の様子を示す縦断面図であって、図１４に示す状態の上側ハウジングをやや奥側へスライドさせた状態を示す図である。
【図１６】変形例に係る圧接コネクタを上方から視た図である。
【図１７】変形例に係る圧接コネクタを右側から視た図である。
【図１８】変形例に係る圧接コネクタを右側から視た図である。
【図１９】変形例に係る圧接コネクタを上方から視た図である。
【図２０】図１９のXX-XX線における断面図である。
【図２１】変形例に係る圧接コネクタの縦断面図である。
【図２２】変形例に係る圧接コネクタを右側から視た図である。
【図２３】図２２に示す圧接コネクタの縦断面図である。
【図２４】変形例に係る圧接コネクタの縦断面図であって、図８に対応させて示す図である。
【００３３】
以下、本発明を実施するための形態について図面を参照しつつ説明する。本発明は、互いに係合された又は互いに係合可能な複数のハウジングを有する圧接コネクタにおいて広く適用できる。
【００３４】
［電気的接続装置の構成］
図１は、本発明の一実施形態に係る圧接コネクタ２を含む電気的接続装置１の斜視図である。また、図２は、図１に示す電気的接続装置１を上方から視た図である。また、図３は、図１に示す電気的接続装置１を奥側から視た図である。また、図４は、図１に示す電気的接続装置１を左側から視た図である。また、図５は、図２のV-V線における断面図である。
【００３５】
なお、各図において、説明の便宜上、上と記載された矢印が指示する方向を上側又は上方と称し、下と記載された矢印が指示する方向を下側又は下方と称し、右と記載された矢印が指示する方向を右側と称し、左と記載された矢印が指示する方向を左側と称し、奥と記載された矢印が指示する方向を奥側と称し、手前と記載された矢印が指示する方向を手前側と称する。手前側から奥側へ向かう方向は、圧接コネクタ２を相手側コネクタとしての基板側コネクタ３へ挿入する向きである挿入方向と一致する。また、奥側から手前側へ向かう方向は、基板側コネクタ３に嵌合した状態の圧接コネクタ２を該基板側コネクタ３から抜去する方向である抜去方向と一致する。また、手前側から奥側（又は奥側から手前側）へ向かう方向を、前後方向と称する場合もある。
【００３６】
電気的接続装置１は、圧接コネクタ２と、基板側コネクタ３とを有している。圧接コネクタ２は、それぞれに収容されたメス型コンタクト２９，４９に複数の電線６０が圧接された２つのハウジング（上側ハウジング１０及び下側ハウジング３０）が厚さ方向に重ねられて係合された２列圧接コネクタとして設けられている。基板側コネクタ３は、基板（図示省略）側に固定されたコネクタであって、圧接コネクタ２と嵌合可能である。電気的接続装置１では、圧接コネクタ２を基板側コネクタ３に嵌合させると、圧接コネクタ２側の電線６０と基板側コネクタ３のオス型コンタクト９とを電気的に接続することができる。
【００３７】
［基板側コネクタの構成］
基板側コネクタ３は、図１から図５を参照して、基板側コネクタハウジング４と、複数のオス型コンタクト９とを有している。
【００３８】
基板側コネクタハウジング４は、手前側へ向かって開口する開口部５を有し上下方向に扁平な箱状に形成されている。基板側コネクタハウジング４は、絶縁性を有する樹脂材料によって構成されている。基板側コネクタハウジング４の各側壁部６には、該各側壁部６を左右方向に貫通する貫通孔が形成されている。これらの貫通孔によって、詳しくは後述する圧接コネクタ２のロック爪本体２７が係合する被係合部７が形成される。
【００３９】
オス型コンタクト９は、Ｌ字状に形成された金属製の部材として設けられている。オス型コンタクト９は、一方側の端部が基板側コネクタハウジング４の奥側の壁部８を貫通し、その先端部が基板側コネクタハウジング４の内部に露出している。また、オス型コンタクト９は、他方側の端部が基板（図示省略）を貫通し、該基板に対して半田付けにより固定されている。
【００４０】
［圧接コネクタの構成］
図６は、図１に示す圧接コネクタ２の斜視図である。また、図７は、図６に示す圧接コネクタ２を上方から視た図である。また、図８は、図７のVIII-VIII線における断面図である。また、図９は、図６に示す上側ハウジング１０（第２ハウジング）を、該上側ハウジング１０内に収容されたメス型コンタクト２９に圧接された複数の電線６０とともに示す図であって、上側ハウジング１０及び複数の電線６０を上方から視た斜視図である。また、図１０は、図９に示す上側ハウジング１０及び複数の電線６０を下方から視た斜視図である。
【００４１】
本実施形態に係る圧接コネクタ２は、該圧接コネクタ２を基板側コネクタ３に対してロックするためのロック爪２４（詳しくは後述する）が基板側コネクタハウジング４の内側から係合する、いわゆるインナーロックタイプの圧接コネクタである。
【００４２】
圧接コネクタ２は、図６から図１０を参照して、上側ハウジング１０及び下側ハウジング３０と、各ハウジング１０，３０に挿入された複数のメス型コンタクト２９，４９と、複数の電線６０とを有している。
【００４３】
［上側ハウジング及びメス型コンタクトの構成］
上側ハウジング１０は、上下方向に扁平な略直方体状に形成された部材である。上側ハウジング１０には、該上側ハウジング１０を前後方向に貫通する６つの貫通孔１１（図８参照、図８では１つの貫通孔１１のみ図示）が形成されている。各貫通孔１１は、左右方向において等間隔となるように形成されている。各貫通孔１１には、メス型コンタクト２９が収容されている。
【００４４】
上側ハウジング１０の上壁部１２には、６つの貫通孔１１のそれぞれに連通するスリット部１３が形成されている。これにより、上側ハウジング１０内に収容されたメス型コンタクト２９、及び該メス型コンタクト２９に圧接された電線６０は、該スリット部１３を介して上方へ露出する。また、このようにスリット部１３を設けることにより、各貫通孔１１に手前側から挿入された電線６０を、当該スリット部１３を介して、圧接用パンチ（図示省略）等を用いて、各貫通孔１１に収容されたメス型コンタクト２９に対して圧接することができる。
【００４５】
なお、ここで説明した圧接によれば、被覆を除去せずにハウジング内のコンタクトに対してセットされた電線を該コンタクトに押し込むことにより該コンタクトによって被覆が突き破られ、その結果被覆内の導電線部（図示省略）とコンタクトとが互いに接触する。また、上記圧接が行われる際、圧接用パンチによって押圧される部分の背面側の部分（上側ハウジング１０の下壁部１４における手前側の部分）は、ブロック状のダイ（図示省略）によって支持される。
【００４６】
上側ハウジング１０には、第１フック１５と、凸部１８と、鉤穴部１９とが形成されている。
【００４７】
第１フック１５は、上側ハウジング１０の下壁部１４（第２対向面）における前後方向の中央部分に、左右方向に間隔を空けて４つ、形成されている。各第１フック１５は、側方から視てＬ字状に形成されている。具体的には、第１フック１５は、下壁部１４から下方へ延びる第３延出部１６と、該第３延出部１６の先端部分から折れ曲がって奥側へ延びる第４延出部１７とを有し、これらが一体に形成されている。
【００４８】
凸部１８は、上側ハウジング１０の下壁部１４における奥側の端部に、左右方向に間隔を空けて２つ、形成されている。各凸部１８は、下壁部１４から下方へ突出する略矩形状の部分である。該凸部１８における手前側の面は、上側ハウジング１０及び下側ハウジング３０が嵌合した状態において、詳しくは後述する凹部３８に当接する第３面部１８ａとして設けられている。第３面部１８ａは、前後方向に垂直な方向に拡がる平面状に形成されている。
【００４９】
鉤穴部１９は、上側ハウジング１０の下壁部１４における手前側の右側部分及び左側部分に、それぞれ１つずつ形成されている。各鉤穴部１９は、図８を参照して、下壁部１４から上方へ延びる第１穴部２０、及び第１穴部２０から折れ曲がって手前側へ延びる第２穴部２１で構成されている。このように形成された鉤穴部１９によって、第１壁部２２及び第２面部２３が形成される。第１壁部２２は、第２穴部２１における下側の壁部である。第２面部２３は、第２穴部２１における手前側の面（第２穴部２１の底面）である。
【００５０】
また、上側ハウジング１０には、ロック爪２４が形成されている。
【００５１】
ロック爪２４は、上側ハウジング１０における左右両側に形成された片持ち梁状の部分である。各ロック爪２４は、その奥側の部分が上側ハウジング１０の側壁部２５と一体に設けられ、そこから手前側且つ左右方向外側へ延びるように形成されている。各ロック爪２４は、片持ち梁部２６、ロック爪本体２７（ロック部）、及びロック解除ボタン２８を有し、これらが一体に形成されている。
【００５２】
各片持ち梁部２６は、各側壁部２５における前端部から手前側且つ外側へ延びる細長い部分として設けられている。片持ち梁部２６は、その後端部分を内側へ押圧すると全体的に内側へ撓むように構成されている。
【００５３】
各ロック爪本体２７は、各片持ち梁部２６における前後方向中央部分に形成されていて、当該部分から外側へ突出するように設けられている。ロック爪本体２７は、基板側コネクタハウジング４の側壁部６に形成された被係合部７に嵌まり込んで係合する。
【００５４】
ロック解除ボタン２８は、各片持ち梁部２６における前後方向後端部分に形成されていて、当該部分から外側へ突出している。ロック解除ボタン２８は、当該ボタンをユーザが押圧することにより基板側コネクタ３と圧接コネクタ２とのロックを解除するためのボタンである。
【００５５】
メス型コンタクト２９は、上側ハウジング１０に形成された６つの貫通孔１１のそれぞれに挿入されて嵌め込まれている。各メス型コンタクト２９は、例えばプレス加工により一体に形成される。各メス型コンタクト２９は、電線６０が圧接される略Ｕ字状に形成されたＵ字スロット部２９ａと、板バネ状に形成されたコンタクト部２９ｂとを有している。
【００５６】
メス型コンタクト２９では、該メス型コンタクト２９に電線６０が圧接されており、該電線６０の被覆部によって覆われた導電線部がＵ字スロット部２９ａと接触している。そして、圧接コネクタ２と基板側コネクタ３とが嵌合した状態では、基板側コネクタ３のオス型コンタクト９がメス型コンタクト２９内に挿入され、該メス型コンタクト２９のコンタクト部２９ｂと接触する。これにより、圧接コネクタ２と基板側コネクタ３とが嵌合した状態において、オス型コンタクト９がはんだ付けにより取り付けられた基板の電気回路部分と電線６０とが電気的に接続される。
【００５７】
［下側ハウジングの構成］
図１１は、図６に示す下側ハウジング３０（第１ハウジング）を、該下側ハウジング３０内に収容されたメス型コンタクト４９に圧接された複数の電線６０とともに示す図であって、下側ハウジング３０及び複数の電線６０を上方から視た斜視図である。また、図１２は、図１１に示す下側ハウジング３０及び複数の電線６０を下方から視た斜視図である。
【００５８】
下側ハウジング３０は、上側ハウジング１０と同様、上下方向に扁平な略直方体状に形成された部材である。下側ハウジング３０には、該下側ハウジング３０を前後方向に貫通する６つの貫通孔３１（図８参照、図８では１つの貫通孔３１のみ図示）が形成されている。各貫通孔３１は、左右方向において等間隔となるように形成されている。各貫通孔３１には、メス型コンタクト４９が収容されている。
【００５９】
下側ハウジング３０の下壁部３２には、図８及び図１２等を参照して、６つの貫通孔３１のそれぞれに連通するスリット部３３が形成されている。これにより、下側ハウジング３０内に収容されたメス型コンタクト４９、及び該メス型コンタクト４９に圧接された電線６０は、該スリット部３３を介して下方へ露出する。また、このようにスリット部３３を設けることにより、各貫通孔３１に手前側から挿入された電線６０を、当該スリット部３３を介して、圧接用パンチ（図示省略）等を用いて、各貫通孔３１に収容されたメス型コンタクト２９に対して圧接することができる。下側ハウジング３０において圧接が行われる際、圧接用パンチによって押圧される部分の背面側の部分（下側ハウジング３０の上壁部３４における手前側の部分）は、ブロック状のダイによって支持される。
【００６０】
下側ハウジング３０には、第２フック３５と、凹部３８と、第３穴部３９とが形成されている。
【００６１】
第２フック３５は、上側ハウジング１０と下側ハウジング３０とが互いに嵌合した状態において、上側ハウジング１０の鉤穴部１９に対応する位置に形成されている。具体的には、各第２フック３５は、下側ハウジング３０の上壁部３４（第１対向面）における手前側の右側部分及び左側部分に、それぞれ１つずつ形成されている。
【００６２】
各第２フック３５は、第１フック１５の場合と同様、側方から視てＬ字状に形成されている。具体的には、第２フック３５は、上壁部３４から上方へ延びる第１延出部３６と、該第１延出部３６の先端部分から折れ曲がって手前側へ延びる第２延出部３７とを有し、これらが一体に形成されている。第２延出部３７の先端部分は、図８を参照して、前後方向に垂直な平面状に形成された第１面部３７ａとして設けられている。
【００６３】
凹部３８は、上側ハウジング１０と下側ハウジング３０とが互いに嵌合した状態において、上側ハウジング１０の凸部１８に対応する位置に形成されている。具体的には、各凹部３８は、下側ハウジング３０の上壁部３４における奥側の端部に、左右方向に間隔を空けて２つ、形成されている。各凹部３８は、図１１を参照して、上側及び奥側の双方に向かって開口している。凹部３８における手前側の平面（前後方向に垂直な方向に拡がる平面）は、図８、図１３、図１４、及び図１５を参照して、第４面部３８ａとして設けられている。
【００６４】
第３穴部３９は、上側ハウジング１０と下側ハウジング３０とが互いに嵌合した状態において、上側ハウジング１０の第１フック１５に対応する位置に形成されている。具体的には、第３穴部３９は、下側ハウジング３０の上壁部３４における前後方向の中央部分に、左右方向に間隔を空けて４つ、形成されている。第３穴部３９は、上壁部３４から下方へ延びて貫通孔３１に連通している。各第３穴部３９は、前後方向に細長いスリット状に形成されている。
【００６５】
また、下側ハウジング３０には、図８等を参照して、第２壁部４０が形成されている。第２壁部４０は、図８を参照して、上側ハウジング１０と下側ハウジング３０とが互いに嵌合した状態における、第４延出部１７と上側ハウジング１０の下壁部１４との間の部分の壁部として設けられている。
【００６６】
［圧接コネクタの組立工程］
図１３は、上側ハウジング１０と下側ハウジング３０とを互いに嵌合させる際の様子を示す縦断面図であって、第２フック３５の先端部分を鉤穴部１９に引っかけた状態を示す図である。また、図１４は、上側ハウジング１０と下側ハウジング３０とを互いに嵌合させる際の様子を示す縦断面図であって、第１フック１５を第３穴部３９に挿入した状態を示す図である。また、図１５は、上側ハウジング１０と下側ハウジング３０とを互いに嵌合させる際の様子を示す縦断面図であって、図１４に示す状態の上側ハウジング１０をやや奥側へスライドさせた状態を示す図である。また、図８は、上側ハウジング１０と下側ハウジング３０との嵌合が完了した状態を示す図である。以下では、圧接コネクタ２の組立工程について、図８、図１３、図１４、及び図１５等を参照して説明する。
【００６７】
まず、上側ハウジング１０と下側ハウジング３０との嵌合が行われる前に、各ハウジング１０，３０内にメス型コンタクト２９，４９が挿入されて固定される。その後、ハウジング１０，３０内に固定された各メス型コンタクト２９，４９に対して、電線６０が圧接される。これにより、電線６０内の導電線部がハウジング１０，３０に収容されたメス型コンタクト２９，４９に接続される。
【００６８】
上述のようにして各ハウジング１０，３０に対してメス型コンタクト２９，４９及び電線６０が取り付けられた後、各ハウジング１０，３０の嵌合が行われる。具体的には、まず、組立作業者は、各ハウジング１０，３０の前後方向の向きを揃え、且つ上側ハウジング１０の下壁部１４と下側ハウジング３０の上壁部３４とが対向した状態で、上側ハウジング１０の先端部分（奥側の部分）を下側ハウジング３０に対してやや持ち上げながら、第２フック３５の先端部分を鉤穴部１９へ引っかける（図１３参照）。これにより、下側ハウジング３０に対する上側ハウジング１０の左右方向の位置決めを行うことができる。
【００６９】
次に、組立作業者は、第２フック３５の先端部分が鉤穴部１９に引っ掛かったままの状態で、第１フック１５を第３穴部３９へ挿入する（図１４参照）。このとき、上側ハウジング１０の凸部１８の下面が、下側ハウジング３０の上壁部３４に当接した状態となる。
【００７０】
次に、組立作業者は、上側ハウジング１０を奥側へスライドさせる（図１５参照）。このとき、図１５に示すように、下側ハウジング３０の第２壁部４０の下側の部分が上側ハウジング１０の第１フック１５の先端を下方へ押圧し、第１フック１５の先端部分が下方へ撓む。これにより、上側ハウジング１０における奥側の部分（凸部１８付近の部分）に、下方への力が作用する。
【００７１】
次に、組立作業者は、上側ハウジング１０を、図１５に示す状態から更に奥側へスライドさせ、第２フック３５を鉤穴部１９へ嵌合させるとともに凸部１８を凹部３８へ嵌合させることにより、上側ハウジング１０と下側ハウジング３０とを嵌合する（図８参照）。このとき、図１５を参照して上述したように、凸部１８が凹部３８へ嵌まり込む直前の状態において、凸部１８へ下方への力が作用しているため、凸部１８が凹部３８へ嵌まり込む位置までスライドさせることにより、凸部１８を凹部３８へスムーズに嵌め込むことができる。
【００７２】
［上側ハウジング及び下側ハウジングの嵌合状態について］
図８を参照して、上側ハウジング１０と下側ハウジング３０とが互いに嵌合した状態の圧接コネクタ２において、下側ハウジング３０に下方への外力が作用しても、第２フック３５の第２延出部３７における下側の部分が第１壁部２２に引っ掛かるため、上側ハウジング１０に対して下側ハウジング３０が上下方向において離間しない。すなわち、第１壁部２２は、下側ハウジング３０が上側ハウジング１０から離間するのを防止する離間防止部として機能する。これにより、圧接コネクタ２が上下方向において分離してしまうことを防止できる。
【００７３】
また、圧接コネクタ２が基板側コネクタ３に嵌合している状態において、例えば下側ハウジング３０の電線６０が引っ張られることにより下側ハウジング３０に手前側への力が作用しても、本実施形態に係る圧接コネクタ２によれば、下側ハウジング３０が上側ハウジング１０から抜けてしまうことを防止できる。具体的には、下側ハウジング３０の電線６０が引っ張られても、下側ハウジング３０に形成された第２フック３５の第１面部３７ａが、抜け防止部として機能する第２面部２３に引っ掛かる。これにより、圧接コネクタ２が基板側コネクタ３に嵌合した状態において下側ハウジング３０の電線６０が引っ張られても、下側ハウジング３０が上側ハウジング１０に対して抜けてしまうことを防止できる。
【００７４】
また、圧接コネクタ２が基板側コネクタ３に嵌合している状態において、例えば上側ハウジング１０の電線６０が引っ張られることにより上側ハウジング１０に手前側への力が作用しても、本実施形態に係る圧接コネクタ２によれば、上側ハウジング１０が下側ハウジング３０から抜けてしまうことを防止できる。具体的には、上側ハウジング１０の電線６０が引っ張られても、上側ハウジング１０に形成された凸部１８の第３面部１８ａが、抜け防止部として機能する第４面部３８ａに引っ掛かる。これにより、圧接コネクタ２が基板側コネクタ３に嵌合した状態において上側ハウジング１０の電線６０が引っ張られても、上側ハウジング１０が下側ハウジング３０に対して抜けてしまうことを防止できる。
【００７５】
以上のように、本実施形態に係る圧接コネクタ２によれば、上側ハウジング１０及び下側ハウジング３０のいずれに抜け方向の力が作用したとしても、他方のハウジングから抜けることがない。すなわち、圧接コネクタ２によれば、基板側コネクタ３との嵌合不良を防止できる。
【００７６】
なお、圧接コネクタ２は、内部に収容されたメス型コンタクト２９，４９に電線６０が圧接された状態の各ハウジング１０，３０が互いに嵌合した状態（すなわち、図６〜図８に示す状態）で市場に流通する場合もあり、或いは、内部に収容されたメス型コンタクト２９，４９に電線６０が圧接される前の各ハウジング１０，３０及び電線６０が別々の状態で市場に流通する場合もある。後者の場合には、ユーザによって、電線６０の圧接及び各ハウジング１０，３０の互いに対する嵌合が行われる。本発明の権利範囲には、いずれの形態で市場に流通する圧接コネクタも含まれる。
【００７７】
［効果］
以上のように、本実施形態に係る圧接コネクタ２では、電線６０が圧接されている複数のコンタクト２９，４９が挿入された各ハウジング１０，３０が互いに係合している。或いは、この構成では、電線６０を圧接可能な複数のコンタクト２９，４９が挿入された各ハウジング１０，３０が互いに係合可能に構成されている。このような構成の圧接コネクタ２のロック爪本体２７を、基板側コネクタ３の被係合部７と係合させ、２つのコネクタ（圧接コネクタ２及び基板側コネクタ３）を嵌合することにより、各コネクタ２，３と電気的に接続された機器同士を電気的に接続することができる。
【００７８】
また、圧接コネクタ２では、各ハウジング１０，３０が互いに嵌合した状態において、下側ハウジング３０に、上側ハウジング１０から離間する方向への力が作用しても、離間防止部としての第１壁部２２によって、上側ハウジング１０に対する下側ハウジング３０の離間が防止される。これにより、各ハウジング１０，３０が相手側のハウジング３０，１０から離間してしまうことが防止される。
【００７９】
また、圧接コネクタ２では、当該圧接コネクタ２が基板側コネクタ３に嵌合した状態において、一方のハウジング１０，３０に抜去方向への力が作用しても、他方のハウジング３０，１０に形成された抜け防止部（具体的には、第２面部２３及び第４面部３８ａ）によって一方のハウジング１０，３０が抜けてしまうことを防止できる。すなわち、各ハウジング１０，３０が互いに嵌合した状態において、いずれのハウジング１０，３０に抜去方向への力が作用したとしても、他方のハウジング３０，１０から抜けてしまうことを防止できる。
【００８０】
従って、圧接コネクタ２によると、部品点数が増大することなく、圧接コネクタ２と基板側コネクタ３との嵌合不良を防止できる。
【００８１】
また、圧接コネクタ２では、面状の部分として形成された比較的簡易な構成を有する第２面部２３及び第４面部３８ａによって、抜け防止部を形成することができる。また、圧接コネクタ２によれば、抜け防止部としての第２面部２３を第１面部３７ａよりも抜去方向側に設け、且つ抜け防止部としての第４面部３８ａを第３面部１８ａよりも抜去方向側に設けることで、各ハウジング１０，３０が意に反して抜けてしまうことを適切に防止できる。
【００８２】
また、圧接コネクタ２では、第２面部２３によって抜けが防止される部分である第１面部３７ａと、離間防止部としての第１壁部２２によって離間が防止される部分とを、第２延出部３７によって構成することができる。すなわち、圧接コネクタ２によれば、第１面部３７ａと、離間防止部によって離間が防止される部分とを別々の場所に形成する必要がなくなるため、圧接コネクタの形状を簡素化できる。
【００８３】
また、圧接コネクタ２では、比較的簡易な構成を有する凸部１８及び凹部３８によって、第３面部１８ａ及び第４面部３８ａを形成することができる。
【００８４】
また、圧接コネクタ２によれば、下側ハウジング３０と上側ハウジング１０とを互いに係合させる際、第２壁部４０、第３延出部１６、及び第４延出部１７が以下のように動作することにより、凸部１８を凹部３８へスムーズに嵌め込むことができる。
【００８５】
具体的には、組立作業者は、下側ハウジング３０の上壁部３４と上側ハウジング１０の下壁部１４とが対向するように各ハウジング１０，３０を把持し、上側ハウジング１０における凸部１８が形成されている側の部分（挿入方向側の部分）を下側ハウジング３０に対してやや持ち上げた状態で（図１４参照）、上側ハウジング１０を挿入方向側へスライドさせる（図１５参照）。そうすると、第２壁部４０の先端部分が第４延出部１７における上側ハウジング１０側の部分を下方へ押圧するため、第４延出部１７が下側ハウジング３０側へ撓む。そうすると、その状態において、第３延出部１６及び第４延出部１７よりも挿入方向側に設けられた凸部１８には、下側ハウジング３０側への力が作用する。
【００８６】
そして、組立作業者が、上側ハウジング１０の凸部１８が下側ハウジング３０の凹部３８に到達するまで上側ハウジング１０を挿入方向側へスライドさせる。そうすると、上述のように上側ハウジング１０の凸部１８には下側ハウジング３０側への力が作用しているため、凸部１８が凹部３８へ到達すると、当該凸部１８がスムーズに凹部３８へ嵌まり込む。よって、圧接コネクタ２によれば、凸部１８を凹部３８へスムーズに嵌め込むことができるため、組立性に優れた圧接コネクタを提供できる。
【００８７】
以上、本発明の実施形態について説明したが、本発明はこれらに限定されるものではなく、本発明の趣旨を逸脱しない限りにおいて種々の変更が可能である。
【００８８】
［変形例］
（１）図１６は、変形例に係る圧接コネクタ２ａを上方から視た図である。上述した実施形態では、本発明が適用される圧接コネクタとして、インナーロックタイプのコネクタを例に挙げて説明したが、これに限らない。具体的には、本発明を、図１６に示すような、いわゆるアウターロックタイプのコネクタに適用することもできる。
【００８９】
図１６に示すアウターロックタイプの圧接コネクタ２ａでは、ロック爪２４ａは、片持ち梁部２６ａとロック爪本体２７ａとロック解除ボタン２８ａとを有し、これらが一体に形成されている。本変形例に係る圧接コネクタ２ａでは、ロック爪２４ａが、基板側コネクタハウジング（図示省略）の側面の外側から係合する。そして、圧接コネクタ２ａでは、ユーザがロック解除ボタン２８ａを内側へ押圧することにより、ロック爪本体２７ａが基板側コネクタハウジングの外側へ離間する。これにより、基板側コネクタハウジングに対する圧接コネクタ２ａのロックを解除することができる。
【００９０】
（２）図１７は、変形例に係る圧接コネクタ２ｂを左側から視た図である。上述した実施形態では、本発明が適用される圧接コネクタとして、基板側コネクタハウジングの側壁面にロック爪が係合する例を挙げて説明したが、これに限らない。具体的には、本発明を、図１７に示すような、基板側コネクタハウジングの天面にロック爪が係合するタイプの圧接コネクタに適用することもできる。
【００９１】
図１７に示す圧接コネクタ２ｂでは、ロック爪２４ｂは、片持ち梁部２６ｂとロック爪本体２７ｂとロック解除ボタン２８ｂとを有し、これらが一体に形成されている。本変形例に係る圧接コネクタ２ｂでは、ロック爪２４ｂが、基板側コネクタハウジング（図示省略）の天面の内側から係合する。そして、圧接コネクタ２ｂでは、ユーザがロック解除ボタン２８ｂを下方へ押圧することにより、ロック爪本体２７ｂが基板側コネクタハウジングの内側へ離間する。これにより、基板側コネクタハウジングに対する圧接コネクタ２ｂのロックを解除することができる。
【００９２】
（３）図１８は、変形例に係る圧接コネクタ２ｃを右側から視た図である。図１７に示す変形例では、本発明が適用される圧接コネクタとして、基板側コネクタハウジングの天面の内側からロック爪が係合する例を挙げて説明したが、これに限らない。具体的には、本発明を、図１８に示すような、基板側コネクタハウジングの天面の外側（上側）からロック爪が係合するタイプの圧接コネクタに適用することもできる。
【００９３】
図１８に示す圧接コネクタ２ｃでは、ロック爪２４ｃは、片持ち梁部２６ｃとロック爪本体２７ｃとロック解除ボタン２８ｃとを有し、これらが一体に形成されている。本変形例に係る圧接コネクタ２ｃでは、ロック爪２４ｃが、基板側コネクタハウジング（図示省略）の天面の外側（上側）から係合する。そして、圧接コネクタ２ｃでは、ユーザがロック解除ボタン２８ｃを下方へ押圧することにより、ロック爪本体２７ｃが基板側コネクタハウジングの外側へ離間する。これにより、基板側コネクタハウジングに対する圧接コネクタ２ｃのロックを解除することができる。
【００９４】
（４）図１９は、変形例に係る圧接コネクタ２ｄを上方から視た図である。また、図２０は、図１９のXX-XX線における断面図である。上述した実施形態に係る圧接コネクタ２では、上側ハウジング１０に第１フック１５を形成し、且つ下側ハウジング３０に第３穴部３９を形成する例を挙げて説明したが、これに限らない。具体的には、図２０に示すように、第１フック１５及び第３穴部３９が省略された構成であってもよい。このような構成であっても、上記実施形態の場合と同様、部品点数が増大することなく、圧接コネクタが基板側コネクタから誤って抜けてしまうリスクを低減できる。
【００９５】
（５）図２１は、変形例に係る圧接コネクタ２ｅの縦断面図である。上述した実施形態では、上側ハウジング１０のスリット部１３を上側に形成し、且つ下側ハウジング３０のスリット部３３を下側に形成する例を挙げて説明した。すなわち、上側ハウジング１０に収容されたメス型コンタクト２９に対する電線６０の圧接方向を下向きとし、且つ下側ハウジング３０に収容されたメス型コンタクト４９に対する電線６０の圧接方向を上向きとしたが、これに限らない。具体的には、図２１に示すように、下側ハウジング３０ａのスリット部３３ａを上側に形成することにより、下側ハウジング３０ａに収容されたメス型コンタクト４９に対する電線６０の圧接方向を、上側ハウジング１０の場合と同様、下向きにしてもよい。このような構成であっても、上記実施形態の場合と同様、部品点数が増大することなく、圧接コネクタが基板側コネクタから誤って抜けてしまうリスクを低減できる。
【００９６】
（６）図２２は、変形例に係る圧接コネクタ２ｆを右側から視た図である。また、図２３は、図２２に示す圧接コネクタ２ｆの縦断面図である。
【００９７】
上述した実施形態及び各変形例では、圧接コネクタとして、２つのハウジング１０，３０が上下方向に２つ重ねられて形成された２列圧接コネクタを例に挙げて説明したが、これに限らず、図２２及び図２３に示すように、本発明は、３つのハウジング１０ａ，３０ｂ，５０が上下方向に重ねられた３列圧接コネクタ２ｆに適用することもできる。図２２及び図２３に示す例では、上段ハウジング１０ａ、中段ハウジング３０ｂ、下段ハウジング５０の順に、上側から下側へ向かって重ねられている。
【００９８】
上段ハウジング１０ａは、上記実施形態の上側ハウジング１０と同様の構成である。また、上段ハウジング１０ａの内部には、上記実施形態の場合と同様、メス型コンタクト２９が収容され、該メス型コンタクト２９には、電線６０が圧接されている。
【００９９】
中段ハウジング３０ｂは、図２１で示した変形例に係る圧接コネクタ２ｅの下側ハウジング３０ａと概ね同様の構成を有している。しかし、中段ハウジング３０ｂには、図２１に示す下側ハウジング３０ａの場合と異なり、凸部４１と鉤穴部４２とが形成されている。また、中段ハウジング３０ｂの内部には、上記実施形態における下側ハウジング３０の場合と同様、メス型コンタクト４９が収容され、該メス型コンタクト４９には、電線６０が圧接されている。
【０１００】
なお、中段ハウジング３０ｂは、上段ハウジング１０ａとの関係において、第１ハウジングとして設けられている。また、上段ハウジング１０ａは、中段ハウジング３０ｂとの関係において、第２ハウジングとして設けられている。
【０１０１】
凸部４１は、上記実施形態の上側ハウジング１０に形成された凸部１８と同様の構成を有している。具体的には、凸部４１は、中段ハウジング３０ｂの下壁部３２における奥側の端部に、左右方向に間隔を空けて２つ、形成されている。各凸部４１は、下壁部３２から下方へ突出する略矩形状の部分である。該凸部４１における手前側の面は、上段ハウジング１０ａ及び中段ハウジング３０ｂが嵌合した状態において、詳しくは後述する凹部５４に当接する第３面部４１ａとして設けられている。第３面部４１ａは、前後方向に垂直な方向に拡がる平面状に形成されている。
【０１０２】
鉤穴部４２は、上記実施形態の上側ハウジング１０に形成された鉤穴部１９と同様の構成を有している。具体的には、鉤穴部４２は、中段ハウジング３０ｂの下壁部３２における手前側の右側部分及び左側部分に、それぞれ１つずつ形成されている。各鉤穴部４２は、下壁部３２から上方へ延びる第１穴部４３、及び第１穴部４３から折れ曲がって手前側へ延びる第２穴部４４で構成されている。このように形成された鉤穴部４２によって、第１壁部４５及び第２面部４６が形成される。第１壁部４５は、第２穴部４４における下側の壁部である。第２面部４６は、第２穴部４４における手前側の面（第２穴部４４の底面）である。
【０１０３】
下段ハウジング５０は、中段ハウジング３０ｂと概ね同様の構成を有している。具体的には、下段ハウジング５０は、中段ハウジング３０ｂにおける凸部４１及び鉤穴部４２が省略された構成となっている。なお、下段ハウジング５０は、中段ハウジング３０ｂとの関係において、第１ハウジングとして設けられている。また、中段ハウジング３０ｂは、下段ハウジング５０との関係において、第２ハウジングとして設けられている。
【０１０４】
下段ハウジング５０に形成された第２フック５１（中段ハウジング３０ｂの第２フック３５に相当する部位）は、中段ハウジング３０ｂに形成された鉤穴部４２に嵌合している。第２フック５１は、第１延出部５２及び第２延出部５３を有している。第２延出部５３の先端部分は、前後方向に垂直な平面状に形成された第１面部５３ａとして設けられている。
【０１０５】
下段ハウジング５０に形成された凹部５４（中段ハウジング３０ｂの凹部３８に相当する部位）には、中段ハウジング３０ｂに形成された凸部４１が嵌合している。凹部５４における手前側の平面（前後方向に垂直な方向に拡がる平面）は、第４面部５４ａとして設けられている。また、下段ハウジング５０の内部には、メス型コンタクト５９が収容され、該メス型コンタクト５９には、電線６０が圧接されている。
【０１０６】
図２３を参照して、３つのハウジング１０ａ，３０ｂ，５０が互いに嵌合した状態の圧接コネクタ２ｆにおいて、中段ハウジング３０ｂに下方への力が作用しても、第２フック３５の第２延出部３７における下側の部分が第１壁部２２に引っ掛かるため、上段ハウジング１０ａに対して中段ハウジング３０ｂが上下方向において離間しない。すなわち、上段ハウジング１０ａの第１壁部２２は、中段ハウジング３０ｂが上段ハウジング１０ａから離間するのを防止する離間防止部として機能する。これにより、圧接コネクタ２ｆが上下方向において分離してしまうことを防止できる。
【０１０７】
また、図２３を参照して、３つのハウジング１０ａ，３０ｂ，５０が互いに嵌合した状態の圧接コネクタ２ｆにおいて、下段ハウジング５０に下方への力が作用しても、第２フック５１の第２延出部５３における下側の部分が第１壁部４５に引っ掛かるため、中段ハウジング３０ｂに対して下段ハウジング５０が上下方向において離間しない。すなわち、中段ハウジング３０ｂの第１壁部４５は、下段ハウジング５０が中段ハウジング３０ｂから離間するのを防止する離間防止部として機能する。これにより、圧接コネクタ２ｆが上下方向において分離してしまうことを防止できる。
【０１０８】
また、圧接コネクタ２ｆが基板側コネクタに嵌合している状態において、例えば中段ハウジング３０ｂの電線６０が引っ張られることにより中段ハウジング３０ｂに手前側への力が作用しても、本実施形態に係る圧接コネクタ２ｆによれば、中段ハウジング３０ｂが上段ハウジング１０ａから抜けてしまうことを防止できる。具体的には、中段ハウジング３０ｂの電線６０が引っ張られても、中段ハウジング３０ｂに形成された第２フック３５の第１面部３７ａが、抜け防止部として機能する第２面部２３に引っ掛かる。これにより、圧接コネクタ２ｆが基板側コネクタに嵌合した状態において中段ハウジング３０ｂの電線６０が引っ張られても、中段ハウジング３０ｂが上段ハウジング１０ａに対して抜けてしまうことを防止できる。
【０１０９】
また、圧接コネクタ２ｆが基板側コネクタに嵌合している状態において、例えば上段ハウジング１０ａの電線６０が引っ張られることにより上段ハウジング１０ａに手前側への力が作用しても、本実施形態に係る圧接コネクタ２ｆによれば、上段ハウジング１０ａが中段ハウジング３０ｂから抜けてしまうことを防止できる。具体的には、上段ハウジング１０ａの電線６０が引っ張られても、上段ハウジング１０ａに形成された凸部１８の第３面部１８ａが、抜け防止部として機能する第４面部３８ａに引っ掛かる。これにより、圧接コネクタ２ｆが基板側コネクタに嵌合した状態において上段ハウジング１０ａの電線６０が引っ張られても、上段ハウジング１０ａが中段ハウジング３０ｂに対して抜けてしまうことを防止できる。
【０１１０】
また、圧接コネクタ２ｆが基板側コネクタに嵌合している状態において、例えば下段ハウジング５０の電線６０が引っ張られることにより下段ハウジング５０に手前側への力が作用しても、本実施形態に係る圧接コネクタ２ｆによれば、下段ハウジング５０が中段ハウジング３０ｂから抜けてしまうことを防止できる。具体的には、下段ハウジング５０の電線６０が引っ張られても、下段ハウジング５０に形成された第２フック５１の第１面部５３ａが、抜け防止部として機能する第２面部４６に引っ掛かる。これにより、圧接コネクタ２ｆが基板側コネクタに嵌合した状態において下段ハウジング５０の電線６０が引っ張られても、下段ハウジング５０が中段ハウジング３０ｂに対して抜けてしまうことを防止できる。
【０１１１】
また、圧接コネクタ２ｆが基板側コネクタに嵌合している状態において、例えば中段ハウジング３０ｂの電線６０が引っ張られることにより中段ハウジング３０ｂに手前側への力が作用しても、本実施形態に係る圧接コネクタ２ｆによれば、中段ハウジング３０ｂが下段ハウジング５０から抜けてしまうことを防止できる。具体的には、中段ハウジング３０ｂの電線６０が引っ張られても、中段ハウジング３０ｂに形成された凸部４１の第３面部４１ａが、抜け防止部として機能する第４面部５４ａに引っ掛かる。これにより、圧接コネクタ２ｆが基板側コネクタに嵌合した状態において中段ハウジング３０ｂの電線６０が引っ張られても、中段ハウジング３０ｂが下段ハウジング５０に対して抜けてしまうことを防止できる。
【０１１２】
以上のように、本変形例に係る圧接コネクタ２ｆによれば、上段ハウジング１０ａ、中段ハウジング３０ｂ、及び下段ハウジング５０のいずれに抜け方向の力が作用したとしても、他のハウジングから抜けることがない。すなわち、圧接コネクタ２ｆによれば、基板側コネクタとの嵌合不良を防止可能な、３列の圧接コネクタを提供できる。
【０１１３】
以上のように、本変形例に係る圧接コネクタ２ｆのような構成であっても、上記実施形態に係る圧接コネクタ２の場合と同様、部品点数が増大することなく、基板側コネクタとの嵌合不良を防止できる。
【０１１４】
（７）図２４は、変形例に係る圧接コネクタ２ｇの縦断面図であって、図８に対応させて示す図である。上記実施形態では、第２フック３５を下側ハウジング３０に形成する例を挙げて説明したが、これに限らず、図２４に示すように、第２フック５５を、上側ハウジング１０ｂに形成することもできる。なお、本変形例の場合、上側ハウジング１０ｂが第１ハウジングとして設けられ、下側ハウジング３０ｃが第２ハウジングとして設けられている。
【０１１５】
上側ハウジング１０ｂは、上記実施形態に係る圧接コネクタ２の上側ハウジング１０と概ね同様の構成を有している。しかし、上側ハウジング１０ｂは、上記実施形態の上側ハウジング１０とは異なり、鉤穴部１９が省略された構成となっている。また、上側ハウジング１０ｂには、上記実施形態の上側ハウジング１０とは異なり、第２フック５５が形成されている。
【０１１６】
第２フック５５は、上側ハウジング１０ｂの下壁部１４ａ（第１対向面）における手前側の右側部分及び左側部分に、それぞれ１つずつ形成されている。図２４では、１つの第２フック５５のみが図示されている。
【０１１７】
各第２フック５５は、側方から視てＬ字状に形成されている。具体的には、第２フック５５は、下壁部１４ａから下方へ延びる第１延出部５６と、該第１延出部５６の先端から折れ曲がって奥側へ延びる第２延出部５７とを有し、これらが一体に形成されている。第２延出部５７の先端部分は、前後方向に垂直な平面状に形成された第４面部５７ａとして設けられている。
【０１１８】
また、上側ハウジング１０ｂには、上記実施形態の上側ハウジング１０に形成された凸部１８と同様の構成を有する凸部５８が形成されている。この凸部５８における手前側の面は、第１面部５８ａとして設けられている。
【０１１９】
また、上側ハウジング１０ｂには、上記実施形態の上側ハウジング１０に形成された第１フック１５と同様の構成を有する第１フック６７が形成されている。第１フック６７は、上側ハウジング１０ｂの下壁部１４ａから下方へ延びる第３延出部６８と、該第３延出部６８の先端部分から折れ曲がって奥側へ延びる第４延出部６９とを有し、これらが一体に形成されている。
【０１２０】
下側ハウジング３０ｃは、上記実施形態に係る圧接コネクタ２の下側ハウジング３０と概ね同様の構成を有している。しかし、下側ハウジング３０ｃは、上記実施形態の下側ハウジング３０と異なり、第２フック３５が省略された構成となっている。また、下側ハウジング３０ｃには、上記実施形態の下側ハウジング３０とは異なり、鉤穴部６１が形成されている。
【０１２１】
鉤穴部６１は、下側ハウジング３０ｃの上壁部３４における手前側の右側部分及び左側部分に、それぞれ１つずつ形成されている。各鉤穴部６１は、上壁部３４から下方へ延びる第１穴部６２、及び第１穴部６２から折れ曲がって奥側へ延びる第２穴部６３で構成されている。このように形成された鉤穴部６１によって、第１壁部６４及び第３面部６５が形成される。第１壁部６４は、第２穴部６３における上側の壁部である。第３面部６５は、第２穴部６３における奥側の面（第２穴部６３の底面）である。
【０１２２】
また、下側ハウジング３０ｃには、上記実施形態の下側ハウジング３０に形成された凹部３８と同様の構成を有する凹部６６が形成されている。この凹部６６における手前側の平面（前後方向に垂直な方向に拡がる平面）は、第２面部６６ａとして設けられている。
【０１２３】
また、下側ハウジング３０ｃには、上記実施形態の下側ハウジング３０に形成された第２壁部４０と同様の構成を有する第２壁部７０が形成されている。第２壁部７０は、図２４を参照して、上側ハウジング１０ｂと下側ハウジング３０ｃとが互いに嵌合した状態における、第４延出部６９と上側ハウジング１０ｂの下壁部１４ａとの間の部分の壁部として設けられている。
【０１２４】
図２４を参照して、上側ハウジング１０ｂと下側ハウジング３０ｃとが互いに嵌合した状態の圧接コネクタ２ｇにおいて、上側ハウジング１０ｂに上方への力が作用しても、第２フック５５の第２延出部５７における上側の部分が第１壁部６４に引っ掛かるため、下側ハウジング３０ｃに対して上側ハウジング１０ｂが上下方向において離間しない。すなわち、下側ハウジング３０ｃの第１壁部６４は、上側ハウジング１０ｂが下側ハウジング３０ｃから離間するのを防止する離間防止部として機能する。これにより、圧接コネクタ２ｇが上下方向において分離してしまうことを防止できる。
【０１２５】
また、圧接コネクタ２が基板側コネクタ３に嵌合している状態において、例えば下側ハウジング３０ｃの電線６０が引っ張られることにより下側ハウジング３０ｃに手前側への力が作用しても、本実施形態に係る圧接コネクタ２ｇによれば、下側ハウジング３０ｃが上側ハウジング１０ｂから抜けてしまうことを防止できる。具体的には、下側ハウジング３０ｃの電線６０が引っ張られても、下側ハウジング３０ｃに形成された第３面部６５が、抜け防止部として機能する第４面部５７ａに引っ掛かる。これにより、圧接コネクタ２ｇが基板側コネクタに嵌合した状態において下側ハウジング３０ｃの電線６０が引っ張られても、下側ハウジング３０ｃが上側ハウジング１０ｂに対して抜けてしまうことを防止できる。
【０１２６】
また、圧接コネクタ２ｇが基板側コネクタに嵌合している状態において、例えば上側ハウジング１０ｂの電線６０が引っ張られることにより上側ハウジング１０ｂに手前側への力が作用しても、本実施形態に係る圧接コネクタ２ｇによれば、上側ハウジング１０ｂが下側ハウジング３０ｃから抜けてしまうことを防止できる。具体的には、上側ハウジング１０ｂの電線６０が引っ張られても、上側ハウジング１０ｂに形成された凸部５８の第１面部５８ａが、抜け防止部として機能する第２面部６６ａに引っ掛かる。これにより、圧接コネクタ２ｇが基板側コネクタに嵌合した状態において上側ハウジング１０ｂの電線６０が引っ張られても、上側ハウジング１０ｂが下側ハウジング３０ｃに対して抜けてしまうことを防止できる。
【０１２７】
以上のように、本実施形態に係る圧接コネクタ２ｇによれば、上側ハウジング１０ｂ及び下側ハウジング３０ｃのいずれに抜け方向の力が作用したとしても、他方のハウジングから抜けることがない。すなわち、圧接コネクタ２ｇによれば、基板側コネクタとの嵌合不良を防止できる。
【０１２８】
［効果］
以上のように、本実施形態に係る圧接コネクタ２ｇでは、上記実施形態の場合と同様、部品点数が増大することなく、圧接コネクタ２ｇと基板側コネクタとの嵌合不良を防止できる。
【０１２９】
また、圧接コネクタ２ｇでは、抜け防止部としての第４面部５７ａと、離間防止部としての第１壁部６４によって離間が防止される部分とを、第２延出部５７によって構成することができる。すなわち、この構成によれば、第４面部５７ａと第１壁部６４によって離間が防止される部分とを別々の場所に形成する必要がなくなるため、圧接コネクタの形状を簡素化できる。
【０１３０】
また、圧接コネクタ２ｇでは、比較的簡易な構成を有する凸部５８及び凹部６６によって、第１面部５８ａ及び第２面部６６ａを形成することができる。
【０１３１】
また、圧接コネクタ２ｇによれば、上側ハウジング１０ｂと下側ハウジング３０ｃとを互いに係合させる際、第２壁部７０、第３延出部６８、及び第４延出部６９が以下のように動作することにより、凸部５８を凹部６６へスムーズに嵌め込むことができる。
【０１３２】
具体的には、組立作業者は、上側ハウジング１０ｂの下壁部１４ａと下側ハウジング３０ｃの上壁部３４ａとが対向するように各ハウジング１０ｂ，３０ｃを把持し、上側ハウジング１０ｂにおける凸部５８が形成されている側の部分（挿入方向側の部分）を下側ハウジング３０ｃに対してやや持ち上げた状態で、上側ハウジング１０ｂを挿入方向側へスライドさせる。そうすると、第２壁部７０の先端部分が第４延出部６９における上側ハウジング１０ｂ側の部分を下方へ押圧するため、第４延出部６９が下側ハウジング３０ｃ側へ撓む。そうすると、その状態において、第３延出部６８及び第４延出部６９よりも挿入方向側に設けられた凸部５８には、下側ハウジング３０ｃ側への力が作用する。
【０１３３】
そして、組立作業者が、上側ハウジング１０ｂの凸部５８が下側ハウジング３０ｃの凹部６６に到達するまで上側ハウジング１０ｂを挿入方向側へスライドさせる。そうすると、上述のように上側ハウジング１０ｂの凸部５８には下側ハウジング３０ｃ側への力が作用しているため、凸部５８が凹部６６へ到達すると、当該凸部５８がスムーズに凹部６６へ嵌まり込む。よって、圧接コネクタ２ｇによれば、凸部５８を凹部６６へスムーズに嵌め込むことができるため、組立性に優れた圧接コネクタを提供できる。
【０１３４】
（８）上記実施形態では、本発明を、圧接コネクタ及び基板側コネクタを備えた電気的接続装置１に適用する例を挙げて説明したが、これに限らず、電気的接続装置を構成するコネクタのうちの１つが圧接コネクタであれば、どのような電気的接続装置に適用することもできる。例えば一例として、本発明を、中継コネクタとして用いられる電気的接続装置に適用することもできる。
【０１３５】
（９）上記実施形態、図２２及び図２３に示す変形例では、本発明を、２列圧接コネクタ又は３列圧接コネクタに適用する例を挙げて説明したが、これらに限らず、本発明は、４列以上の圧接コネクタに適用することもできる。
【産業上の利用可能性】
【０１３６】
本発明は、互いに係合された又は互いに係合可能な複数のハウジングを有する圧接コネクタに広く適用することができる。
【符号の説明】
【０１３７】
１                        電気的接続装置
２，２ａ〜２ｇ            圧接コネクタ
３                        基板側コネクタ（相手側コネクタ）
７                        被係合部
１０                      上側ハウジング（第２ハウジング）
１０ａ                    上段ハウジング（第２ハウジング）
１０ｂ                    上段ハウジング（第１ハウジング）
２２                      第１壁部（離間防止部）
２３                      第２面部（抜け防止部）
２７，２７ａ〜２７ｃ      ロック爪本体（ロック部）
２９                      メス型コンタクト（コンタクト）
３０，３０ａ              下側ハウジング（第１ハウジング）
３０ｂ                    中段ハウジング（第１ハウジング、第２ハウジング）
３０ｃ                    下側ハウジング（第２ハウジング）
３８ａ                    第４面部（抜け防止部）
４５                      第１壁部（離間防止部）
４６                      第２面部（抜け防止部）
４９                      メス型コンタクト（コンタクト）
５０                      下段ハウジング（第１ハウジング）
５４ａ                    第４面部（抜け防止部）
５７ａ                    第４面部（抜け防止部）
６０                      電線
６４                      第１壁部（離間防止部）
６６ａ                    第２面部（抜け防止部）
【図１】
2017069091.tif 000003
【図２】
2017069091.tif 000004
【図３】
2017069091.tif 000005
【図４】
2017069091.tif 000006
【図５】
2017069091.tif 000007
【図６】
2017069091.tif 000008
【図７】
2017069091.tif 000009
【図８】
2017069091.tif 000010
【図９】
2017069091.tif 000011
【図１０】
2017069091.tif 000012
【図１１】
2017069091.tif 000013
【図１２】
2017069091.tif 000014
【図１３】
2017069091.tif 000015
【図１４】
2017069091.tif 000016
【図１５】
2017069091.tif 000017
【図１６】
2017069091.tif 000018
【図１７】
2017069091.tif 000019
【図１８】
2017069091.tif 000020
【図１９】
2017069091.tif 000021
【図２０】
2017069091.tif 000022
【図２１】
2017069091.tif 000023
【図２２】
2017069091.tif 000024
【図２３】
2017069091.tif 000025
【図２４】
2017069091.tif 000026